(57)【要約】【課題】電気的に書き換え可能な不揮発性メモリを内蔵した不揮発性メモリ内蔵マイクロコンピュータを備える電気機器であって、不揮発性メモリの書き込みが容易であり、尚かつ、不揮発性メモリ内蔵マイクロコンピュータの破損を防止することができる電気機器を提供する。【解決手段】フラッシュマイコン１２と、フラッシュマイコン１２が実装されているプリント基板と、前記プリント基板外に設けられるフラッシュマイコン書き込み用コネクタ１７と、フラッシュマイコン１２とフラッシュマイコン書き込み用コネクタ１７との電気的接続／遮断を切り替えるスイッチ１６とを備え、フラッシュマイコン１２が、書き込みモードのときにスイッチ１６をオンにし、前記書き込みモード以外のときにスイッチ１６をオフにする空気調和機。【選択図】図１
2009110034.tif 000002
【特許請求の範囲】
【請求項１】
電気的に書き換え可能な不揮発性メモリを内蔵した不揮発性メモリ内蔵マイクロコンピュータと、
前記不揮発性メモリ内蔵マイクロコンピュータが実装されているプリント基板と、
不揮発性メモリ内蔵マイクロコンピュータ書き込み用ライターと接続するための不揮発性メモリ内蔵マイクロコンピュータ書き込み用ポート又はコネクタと、
前記不揮発性メモリ内蔵マイクロコンピュータと前記不揮発性メモリ内蔵マイクロコンピュータ書き込み用ポート又はコネクタとの電気的接続／遮断を切り替えるスイッチとを備え、
前記不揮発性メモリ内蔵マイクロコンピュータ書き込み用ポート又はコネクタが、前記プリント基板外に設けられ、且つ、前記プリント基板又は前記プリント基板を格納している電装ボックスを電気機器本体から取り出さずに前記不揮発性メモリ内蔵マイクロコンピュータ書き込み用ポート又はコネクタと前記不揮発性メモリ内蔵マイクロコンピュータ書き込み用ライターとの接続が可能な場所に配置され、
前記不揮発性メモリ内蔵マイクロコンピュータが、書き込みモードのときに前記スイッチをオンにし、前記書き込みモード以外のときに前記スイッチをオフにすることを特徴とする電気機器。
【請求項２】
前記書き込みモードになり前記スイッチがオンになった後、書き込みが正常に終了すると、前記書き込みモードを終了して前記スイッチをオフにする請求項１に記載の電気機器。
【請求項３】
前記書き込みモードになり前記スイッチがオンになった後、前記スイッチがオフからオンに切り替わってからの経過時間が所定値に達すると、書き込みが正常に終了しているか否かにかかわらず、前記書き込みモードを終了して前記スイッチをオフにする請求項１または請求項２に記載の電気機器。
【請求項４】
空気調和機である請求項１〜３のいずれかに記載の電気機器。
【発明の詳細な説明】
【技術分野】
【０００１】
本発明は、電気機器に関し、特に、電気的に書き換え可能な不揮発性メモリを内蔵した不揮発性メモリ内蔵マイクロコンピュータ（例えば、フラッシュメモリを内蔵したマイクロコンピュータであるフラッシュマイコン）を備える電気機器に関する。
【背景技術】
【０００２】
電子制御を必要とする電気機器には通常マイクロコンピュータが組み込まれており、いわゆるマイコン制御が行われている。例えば、室内機と室外機を分離した分離型の空気調和機の場合、室内機に一つ或いは二つのフラッシュマイコンが組み込まれ、室外機に一つのフラッシュマイコンが組み込まれる構成が一般的な構成である。
【０００３】
フラッシュマイコンは書き込みデータ入力用ピンを複数有しており、フラッシュマイコンの書き込みデータ入力用ピンはそれぞれ信号線を介してフラッシュマイコン書き込み用ポートまたはコネクタに接続されている。フラッシュマイコン書き込み用ポートまたはコネクタにフラッシュマイコン書き込み用ライターを接続することで、フラッシュマイコンが内蔵しているフラッシュメモリにプログラムデータなどのデータの書き込み（書き換えを含む）を行うことができる。したがって、フラッシュマイコンは、プリント基板に実装された後であっても、さらには組み込まれた電気機器が製品出荷された後であっても、データの書き込みが可能である。
【０００４】
上述したフラッシュマイコン書き込み用ポートまたはコネクタにユーザーが触れた場合に静電気などによりフラッシュマイコンが破損するおそれがあるため、電気用品安全法などの安全規格上フラッシュマイコン書き込み用ポートまたはコネクタにユーザーが容易に触れることがないように設計する必要がある。このため、従来の空気調和機では、フラッシュマイコンが実装されているプリント基板上にフラッシュマイコン書き込み用ポートまたはコネクタを設け、フラッシュマイコン書き込み用ポートまたはコネクタにユーザーが容易に触れることがないようにしていた。
【０００５】
【特許文献１】特開２００１−９０９８４号公報
【特許文献２】特開２００１−２０９５４３号公報
【発明の開示】
【発明が解決しようとする課題】
【０００６】
上述した従来の空気調和機は、フラッシュマイコンが実装されているプリント基板上にフラッシュマイコン書き込み用ポートまたはコネクタを設けているため、製品完成後フラッシュマイコンが内蔵しているフラッシュメモリにデータの書き込みが必要となった際には、フラッシュマイコン書き込み用ポートまたはコネクタにフラッシュマイコン書き込み用ライターを接続することができるレベルまで製品を分解して、フラッシュマイコン書き込み用ポートまたはコネクタにフラッシュマイコン書き込み用ライターを接続し、フラッシュマイコンが内蔵しているフラッシュメモリにプログラムデータなどのデータの書き込みを行わなければならなかった。
【０００７】
そのため、フラッシュマイコンが内蔵しているフラッシュメモリにデータを書き込む作業に多くの時間と労力を費やすことになっていた。また、製品完成後フラッシュマイコンが内蔵しているフラッシュメモリにデータの書き込みが必要となった際には、フラッシュマイコン書き込み用ポートまたはコネクタにフラッシュマイコン書き込み用ライターを接続することができるレベルまで製品を分解するため、製品を分解することによる二次不良（成型物の破損、配線の断線、ネジの取り付け忘れ等）が発生するおそれがあった。
【０００８】
なお、特許文献１では、メンテナンス時に作業者がフレームをケース本体から引き出すと、電気部品突出機構によってフレーム内のアクセス電気部品（各種コネクタ）がフレームの側方に自動的に突出する構造の電気機器が開示されている。特許文献１で開示されている電気機器のアクセス電気部品（各種コネクタ）をフラッシュマイコン書き込み用ポートまたはコネクタとした場合、製品完成後フラッシュマイコンが内蔵しているフラッシュメモリへのデータの書き込みが必要となった際に製品を分解する必要がないため、製品を分解することによる二次不良（成型物の破損、配線の断線、ネジの取り付け忘れ等）が発生するおそれはなくなる。しかしながら、誤って作業者の手がアクセス電気部品（各種コネクタ）に触れた場合に、静電気などによりフラッシュマイコンが破損するおそれがある。
【０００９】
本発明は、上記の状況に鑑み、電気的に書き換え可能な不揮発性メモリを内蔵した不揮発性メモリ内蔵マイクロコンピュータを備える電気機器であって、不揮発性メモリの書き込みが容易であり、尚かつ、不揮発性メモリ内蔵マイクロコンピュータの破損を防止することができる電気機器を提供することを目的とする。
【課題を解決するための手段】
【００１０】
上記目的を達成するために本発明に係る電気機器においては、電気的に書き換え可能な不揮発性メモリを内蔵した不揮発性メモリ内蔵マイクロコンピュータと、前記不揮発性メモリ内蔵マイクロコンピュータが実装されているプリント基板と、不揮発性メモリ内蔵マイクロコンピュータ書き込み用ライターと接続するための不揮発性メモリ内蔵マイクロコンピュータ書き込み用ポート又はコネクタと、前記不揮発性メモリ内蔵マイクロコンピュータと前記不揮発性メモリ内蔵マイクロコンピュータ書き込み用ポート又はコネクタとの電気的接続／遮断を切り替えるスイッチとを備え、前記不揮発性メモリ内蔵マイクロコンピュータ書き込み用ポート又はコネクタが、前記プリント基板外に設けられ、且つ、前記プリント基板又は前記プリント基板を格納している電装ボックスを電気機器本体から取り出さずに前記不揮発性メモリ内蔵マイクロコンピュータ書き込み用ポート又はコネクタと前記不揮発性メモリ内蔵マイクロコンピュータ書き込み用ライターとの接続が可能な場所に配置され、前記不揮発性メモリ内蔵マイクロコンピュータが、書き込みモードのときに前記スイッチをオンにし、前記書き込みモード以外のときに前記スイッチをオフにする構成としている。
【００１１】
このような構成によると、前記不揮発性メモリ内蔵マイクロコンピュータ書き込み用ポート又はコネクタが、前記プリント基板外に設けられ、且つ、前記プリント基板又は前記プリント基板を格納している電装ボックスを電気機器本体から取り出さずに前記不揮発性メモリ内蔵マイクロコンピュータ書き込み用ポート又はコネクタと前記不揮発性メモリ内蔵マイクロコンピュータ書き込み用ライターとの接続が可能な場所に配置されているので、不揮発性メモリ内蔵マイクロコンピュータが実装されているプリント基板に不揮発性メモリ内蔵マイクロコンピュータ書き込み用ポート又はコネクタが実装されている従来の構成に比べて、不揮発性メモリ内蔵マイクロコンピュータ書き込み用ポート又はコネクタとライターとの接続が容易になり、不揮発性メモリの書き込みが容易になる。
【００１２】
また、このような構成によると、前記書き込みモード以外のときには、前記不揮発性メモリ内蔵マイクロコンピュータと前記不揮発性メモリ内蔵マイクロコンピュータ書き込み用ポート又はコネクタとが電気的遮断されるので、使用者の手が前記不揮発性メモリ内蔵マイクロコンピュータ書き込み用ポート又はコネクタに触れても静電気などにより前記不揮発性メモリ内蔵マイクロコンピュータが破損するおそれはない。
【００１３】
また、前記書き込みモードになり前記スイッチがオンになった後、書き込みが正常に終了すると、前記書き込みモードを終了して前記スイッチをオフにすることが望ましい。これにより、書き込みの正常終了後は自動的に前記書き込みモードが終了するので、前記書き込みモードの解除忘れなどがなくなり、不揮発性メモリ内蔵マイクロコンピュータの破損をより確実に防止することができる。
【００１４】
また、前記書き込みモードになり前記スイッチがオンになった後、前記スイッチがオフからオンに切り替わってからの経過時間が所定値に達すると、書き込みが正常に終了しているか否かにかかわらず、前記書き込みモードを終了して前記スイッチをオフにすることが望ましい。これにより、前記スイッチがオフからオンに切り替わってからの経過時間が所定値に達すると、必ず自動的に前記書き込みモードが終了するので、不揮発性メモリ内蔵マイクロコンピュータの破損をより確実に防止することができる。
【００１５】
本発明に係る電気機器としては、例えば、空気調和機や洗濯機などの家電製品が挙げられるが、家電製品以外の電気機器にも適用可能である。
【発明の効果】
【００１６】
本発明に係る電気機器は、電気的に書き換え可能な不揮発性メモリを内蔵した不揮発性メモリ内蔵マイクロコンピュータを備える電気機器であって、不揮発性メモリ内蔵マイクロコンピュータ書き込み用ポート又はコネクタが、不揮発性メモリ内蔵マイクロコンピュータが実装されているプリント基板外に設けられ、且つ、プリント基板又はプリント基板を格納している電装ボックスを電気機器本体から取り出さずに不揮発性メモリ内蔵マイクロコンピュータ書き込み用ポート又はコネクタと不揮発性メモリ内蔵マイクロコンピュータ書き込み用ライターとの接続が可能な場所に配置され、さらに、不揮発性メモリ内蔵マイクロコンピュータと不揮発性メモリ内蔵マイクロコンピュータ書き込み用ポート又はコネクタとの電気的接続／遮断を切り替えるスイッチを備えているので、不揮発性メモリの書き込みが容易であり、尚かつ、不揮発性メモリ内蔵マイクロコンピュータの破損を防止することができる。
【発明を実施するための最良の形態】
【００１７】
本発明の実施形態について図面を参照して以下に説明する。本発明に係る電気機器として、ここでは室内機と室外機を分離した分離型であって、室内機に一つのフラッシュマイコンが組み込まれ、室外機に一つのフラッシュマイコンが組み込まれている空気調和機を例に挙げて説明する。
【００１８】
本発明に係る空気調和機の概略構成例を図１に示す。図１に示す空気調和機は室内機２と室外機３とに分離されている。
【００１９】
まず、室内機２について説明する。室内機２は、ＡＣ−ＤＣコンバータ４と、ルーバー駆動用ステッピングモータ駆動回路５と、ルーバー駆動用ステッピングモータ６と、内部ファン駆動用モータ駆動回路７と、内部ファン駆動用モータ８と、換気ファン駆動用モータ駆動回路９と、換気ファン駆動用モータ１０と、ＤＣ−ＤＣコンバータ１１と、フラッシュマイコン１２と、リモコン信号受信回路１３と、応急運転スイッチ１４と、温度センサ１５と、スイッチ１６と、フラッシュマイコン書き込み用コネクタ１７と、報知部１８とを有している。
【００２０】
ＡＣ−ＤＣコンバータ４は、商用交流電源１から出力される交流電圧を直流電圧に変換して、ルーバー駆動用ステッピングモータ駆動回路５と、内部ファン駆動用モータ駆動回路７と、換気ファン駆動用モータ駆動回路９と、ＤＣ−ＤＣコンバータ１１とに供給している。ルーバー駆動用ステッピングモータ駆動回路５はフラッシュマイコン１２の指示に従ってルーバー駆動用ステッピングモータ６を駆動し、内部ファン駆動用モータ駆動回路７はフラッシュマイコン１２の指示に従って内部ファン駆動用モータ８を駆動し、換気ファン駆動用モータ駆動回路９はフラッシュマイコン１２の指示に従って換気ファン駆動用モータ１０を駆動する。なお、ルーバー駆動用ステッピングモータ駆動回路５、内部ファン駆動用モータ駆動回路７、及び換気ファン駆動用モータ駆動回路９はそれぞれフォトカプラによってフラッシュマイコン１２から絶縁されている。ＤＣ−ＤＣコンバータ１１は入力電圧を降圧してフラッシュマイコン１２の電源電圧を生成し、フラッシュマイコン１２に供給する。なお、ＤＣ−ＤＣコンバータ１１の入力側と出力側とは例えばＤＣ−ＤＣコンバータ１１内部に設けられる絶縁トランス（不図示）により絶縁されている。フラッシュマイコン１２は、リモコン送信機（不図示）から出力されるリモコン信号（赤外線信号）を受信して電気信号に変換するリモコン信号受信回路１３の出力信号、応急運転スイッチ１４の出力信号、温度センサ１５の出力信号、及び室外機３のフラッシュマイコン２５から出力される通信信号に応じて、室内機２の運転制御および室外機３のフラッシュメモリ２５への通信信号出力を行う。また、フラッシュマイコン１２は、スイッチ１６を介してフラッシュマイコン書き込み用コネクタ１７に接続されており、スイッチ１６及び報知部１８を制御する。
【００２１】
続いて、室外機３について説明する。室外機３は、ＡＣ−ＤＣコンバータ１９と、圧縮機駆動用モータ駆動回路２０と、圧縮機駆動用モータ２１と、室外ファン駆動用モータ駆動回路２２と、室外ファン駆動用モータ２３と、ＤＣ−ＤＣコンバータ２４と、フラッシュマイコン２５と、温度センサ２６と、スイッチ２７と、フラッシュマイコン書き込み用コネクタ２８と、報知部２９とを有している。
【００２２】
ＡＣ−ＤＣコンバータ１９は、室内機２を経由して供給される商用交流電源１の出力電圧を直流電圧に変換して、圧縮機駆動用モータ駆動回路２０と、室外ファン駆動用モータ駆動回路２２と、ＤＣ−ＤＣコンバータ２４とに供給している。圧縮機駆動用モータ駆動回路２０はフラッシュマイコン２５の指示に従って圧縮機駆動用モータ２１を駆動し、室外ファン駆動用モータ駆動回路２２はフラッシュマイコン２５の指示に従って室外ファン駆動用モータ２３を駆動する。なお、圧縮機駆動用モータ駆動回路２０及び室外ファン駆動用モータ駆動回路２２はそれぞれフォトカプラによってフラッシュマイコン２５から絶縁されている。ＤＣ−ＤＣコンバータ２４は入力電圧を降圧してフラッシュマイコン２５の電源電圧を生成し、フラッシュマイコン２５に供給する。なお、ＤＣ−ＤＣコンバータ２４の入力側と出力側とは例えばＤＣ−ＤＣコンバータ２４内部に設けられる絶縁トランス（不図示）により絶縁されている。フラッシュマイコン２５は、温度センサ２６の出力信号及び室内機２のフラッシュマイコン１２から出力される通信信号に応じて、室外機３の運転制御および室内機２のフラッシュメモリ１２への通信信号出力を行う。また、フラッシュマイコン２５は、スイッチ２７を介してフラッシュマイコン書き込み用コネクタ２８に接続されており、スイッチ２７及び報知部２９を制御する。また、フラッシュマイコン１２とフラッシュマイコン２５とが通信線によって電気的に接続されることが無いようにするためのフォトカプラが室外機３側に設けられている。
【００２３】
次に、室内機２でのフラッシュマイコン１２、スイッチ１６、及びフラッシュマイコン書き込み用コネクタ１７の配置について図２を参照して説明する。
【００２４】
フラッシュマイコン１２及びスイッチ１６は、ＡＣ−ＤＣコンバータ４（図２において不図示）やＤＣ−ＤＣコンバータ（図２において不図示）などとともに、プリント基板３０に実装されている。スイッチ１６は複数のスイッチ素子（例えばトランジスタ）からなるアレイであり、各スイッチ素子はフラッシュマイコン１２によってＯＮ／ＯＦＦ制御される。
【００２５】
フラッシュマイコン１２は、プリント配線３１、スイッチ１６、プリント基板１０に実装されているコネクタ３２、そのコネクタ３２にコネクタ接続されるコネクタ３３、及びケーブル３４を介して、フラッシュマイコン書き込み用コネクタ１７に接続されている。プリント基板３０は電装ボックス内に格納される。また、フラッシュマイコン書き込み用コネクタ１７は、プリント基板３０外であって、プリント基板３０或いはプリント基板３０を格納している電装ボックスを室内機本体から取り出さずにフラッシュマイコン書き込み用コネクタ１７と、フラッシュマイコンにデータを書き込むためのフラッシュマイコン書き込み用ライター３５（以下単にライター３５と呼ぶ）との接続が可能な場所（例えば、室内機本体の筐体下面部や前面パネルを開いた状態で露出する部位）に配置する。これにより、フラッシュマイコン１２が内蔵しているフラッシュメモリにデータを書き込むことが製品完成後も容易になる。また、プリント基板３０或いはプリント基板３０を格納している電装ボックスを室内機本体から取り出す必要がなくなるので、製品を分解することによる二次不良（成型物の破損、配線の断線、ネジの取り付け忘れ等）が発生するおそれがなくなる。なお、図２に示す配置の代わりに、プリント基板１０に実装されているコネクタ３２と、そのコネクタ３２にコネクタ接続されるコネクタ３３とを廃止し、ケーブル３４を半田３６によりプリント配線３１に直接接続する図３に示す配置にしてもよい。また、見栄えを良くする観点から、フラッシュマイコン書き込み用コネクタ１７を覆うカバーを設け、例えばネジ１本の取り外しにより当該カバーの取り外しができるようにしてもよい。
【００２６】
また、室外機３でのフラッシュマイコン２５、スイッチ２７、及びフラッシュマイコン書き込み用コネクタ２８の配置も、室内機２でのフラッシュマイコン１２、スイッチ１６、及びフラッシュマイコン書き込み用コネクタ１７の配置と同様にする。フラッシュマイコン２５及びスイッチ２７とともにＡＣ−ＤＣコンバータ１９やＤＣ−ＤＣコンバータ２４などを搭載しているプリント基板或いは当該プリント基板を格納している電装ボックスを室外機本体から取り出さずにフラッシュマイコン書き込み用コネクタ２８とライター３５との接続が可能な場所としては、例えば、室内機２と室外機３とを接続する電源コードの室外機側一端が接続されている端子板周辺が挙げられる。
【００２７】
次に、フラッシュマイコン１２が行うスイッチ１６及び報知部１８の制御動作について図４に示すフローチャートを参照して説明する。
【００２８】
図１に示す空気調和機が商用交流電源１に接続され、フラッシュマイコン１２が立ち上がると、図４に示すフローチャート動作が開始される。図４に示すフローチャート動作の開始時点において、フラッシュマイコン１２はスイッチ１６をオフにしている。
【００２９】
フラッシュマイコン１２は、フラッシュマイコン書き込みモードへの移行を指示する信号が有るか否かを判定しており（ステップＳ１０）、フラッシュマイコン書き込みモードへの移行を指示する信号が有れば（ステップＳ１０のＹＥＳ）、フラッシュマイコン書き込みモードに移行する。フラッシュマイコン書き込みモードへの移行を指示する信号は、リモコン送信機に特定のボタン操作がなされたときにリモコン信号受信回路１３が出力する信号、または、応急運転スイッチ１４に特定の操作（例えば、リモコン送信機を紛失した場合でも運転が行えるように、応急運転スイッチ１４が単打されると自動運転が開始され、故障時のメンテナンスを容易にするために、応急運転スイッチ１４が所定時間長押しされると自己診断モードに移行する設定である場合、これらの操作と区別可能なように応急運転スイッチ１４を所定回数連打する操作とする）がなされたときに応急運転スイッチ１４が出力する信号である。
【００３０】
フラッシュマイコン書き込みモードへの移行を指示する信号を生成するためのリモコン送信機に対する特定のボタン操作又は応急運転スイッチ１４に対する特定の操作は、フラッシュマイコン書き込み用コネクタ１７とライター３５との接続が完了した後に行うとよい。
【００３１】
フラッシュマイコン書き込みモード移行後のステップＳ２０において、フラッシュマイコン１２は、フラッシュマイコン書き込みモードへの移行を指示する信号を通信信号としてフラッシュマイコン２５に出力し、その後ステップＳ３０に移行する。
【００３２】
ステップＳ３０において、フラッシュマイコン１２は、スイッチ１６をオフからオンに切り替え、その後ステップＳ４０に移行する。
【００３３】
ステップＳ４０において、フラッシュマイコン１２は、スイッチ１６をオフからオンに切り替えてからの経過時間（スイッチオン時間）の計時を開始し、その後ステップＳ５０に移行する。
【００３４】
ステップＳ５０において、フラッシュマイコン１２は、内蔵しているフラッシュメモリに、ライター３５から送られてくるプログラムデータなどのデータを書き込むことができる状態に移行する。続くステップＳ６０において、フラッシュマイコン１２は、データの書き込みが正常に終了したか否かを判定する（ステップＳ６０）。
【００３５】
データの書き込みが正常に終了した場合（ステップ６０のＹＥＳ）、フラッシュマイコン１２は、書き込みが正常に終了したことを知らせる報知（例えば、音や光）を報知部１８に行わせ（ステップＳ７０）、その後ステップＳ９０に移行する。
【００３６】
一方、データの書き込みが正常に終了していない場合（ステップＳ６０のＮＯ）、フラッシュマイコン１２は、スイッチオン時間が所定値に到達していなければ（ステップＳ８０のＮＯ）、ステップＳ５０に戻ってデータの書き込みが正常に終了したか否かの判定を継続して行い、スイッチオン時間が所定値に到達していれば（ステップＳ８０のＹＥＳ）、直ちにステップＳ９０に移行する。なお、この所定値は、正常に書き込みが行われるために要する時間よりも長い時間に設定しておく必要がある。より好ましくは、フラッシュマイコン１２が内蔵しているフラッシュメモリの全容量にデータを書き込む場合に要する時間よりも長い時間とするとよい。さらに好ましくは、応急運転スイッチ１４を押してからライター３５とフラッシュマイコン書き込み用コネクタ１７とを接続する可能性や一時的な通信途絶の可能性も考慮して、所定値を決定するとよい。
【００３７】
ステップＳ９０において、フラッシュマイコン１２は、フラッシュマイコン書き込みモードを終了し、スイッチ１６をオンからオフに切り替え、その後ステップＳ１０に戻る。
【００３８】
上記制御動作により、通常は、スイッチ１６がオフであり、フラッシュマイコン１２とフラッシュマイコン書き込み用コネクタ１７とが電気的に遮断されているので、使用者の手がフラッシュマイコン書き込み用コネクタ１７に触れても静電気などによりフラッシュマイコン１２が破損するおそれはない。そして、上記制御動作により、フラッシュマイコン書き込みモードの際には、スイッチ１６がオンであり、フラッシュマイコン１２とフラッシュマイコン書き込み用コネクタ１７とが電気的に接続されているので、フラッシュマイコン１２が内蔵しているフラッシュメモリにプログラムデータなどのデータの書き込みを行うことが可能となる。
【００３９】
フラッシュマイコン２５が行うスイッチ２７及び報知部２９の制御動作についても図４に示すフローチャートとほぼ同様であるが、フラッシュマイコン１２、スイッチ１２、報知部１８がそれぞれフラッシュマイコン２５、スイッチ２７、報知部２９となる点、フラッシュマイコン書き込みモードへの移行を指示する信号がフラッシュマイコン１２から送られてくる通信信号である点、ステップＳ２０の動作を行わない点が相違している。
【００４０】
なお、上述した実施形態においてはフラッシュマイコン書き込み用コネクタを用いたが、フラッシュマイコン書き込み用コネクタの代わりにフラッシュマイコン書き込み用ポートを用いてもよい。また、上述した実施形態では、室内機に組み込まれるフラッシュマイコン、室外機に組み込まれるフラッシュマイコンの双方に関して、フラッシュメモリが内蔵しているフラッシュメモリにデータを書き込むことが容易であり、尚かつ、フラッシュマイコンの破損を防止することができる構成としたが、室内機に組み込まれるフラッシュマイコン、室外機に組み込まれるフラッシュマイコンのいずれか一方のみに関して、フラッシュメモリが内蔵しているフラッシュメモリにデータを書き込むことが容易であり、尚かつ、フラッシュマイコンの破損を防止することができる構成であってもよい。
【図面の簡単な説明】
【００４１】
【図１】は、本発明に係る空気調和機の概略構成例を示す図である。
【図２】は、室内機でのフラッシュマイコン、スイッチ、及びフラッシュマイコン書き込み用コネクタの配置例を示す図である。
【図３】は、室内機でのフラッシュマイコン、スイッチ、及びフラッシュマイコン書き込み用コネクタの他の配置例を示す図である。
【図４】は、室内機に組み込まれるフラッシュマイコンが行うスイッチ及び報知部の制御動作を示すフローチャートである。
【符号の説明】
【００４２】
１    商用交流電源
２    室内機
３    室外機
４、１９    ＡＣ−ＤＣコンバータ
５    ルーバー駆動用ステッピングモータ駆動回路
６    ルーバー駆動用ステッピングモータ
７    内部ファン駆動用モータ駆動回路
８    内部ファン駆動用モータ
９    換気ファン駆動用モータ駆動回路
１０    換気ファン駆動用モータ
１１、２４    ＤＣ−ＤＣコンバータ
１２、２５    フラッシュマイコン
１３    リモコン信号受信回路
１４    応急運転スイッチ
１５、２６    温度センサ
１６、２７    スイッチ
１７、２８    フラッシュマイコン書き込み用コネクタ
１８、２９    報知部
２０    圧縮機駆動用モータ駆動回路
２１    圧縮機駆動用モータ
２２    室外ファン駆動用モータ駆動回路
２３    室外ファン駆動用モータ
３０    プリント基板
３１    プリント配線
３２、３３    コネクタ
３４    ケーブル
３５    ライター
３６    半田
【図１】
2009110034.tif 000003
【図２】
2009110034.tif 000004
【図３】
2009110034.tif 000005
【図４】
2009110034.tif 000006